(57)【要約】【課題】  アジャストボルト式に床面調節が可能で、床パネル同士の連結及びその解除が非常に容易であるとともに、連結を強固に行うことができるフロア構造物およびその合理的な敷設工法を提供すること。【解決手段】  パネル本体１の第一辺部Ｓ1と、その隅部を共有する第二辺部Ｓ2の所要範囲に亘って設けた前記相决式受鍔11・11の角部及び両端部に設けた雌ネジ孔２に対して、支持脚３を正逆回転自在に装着する一方、縦横方向に隣接するパネル本体１・１同士は、相决式受鍔11と第三辺部Ｓ3または第四辺部Ｓ4とがシップラップ式に重なってパネル本体１・１の上面を面一にし、かつ、この状態において相决式受鍔11の各面に設けた雌ネジ孔41・42とパネル本体１に設けた通孔43・44は、互いに連通して連結孔４を作出し、こうして作出された連結孔４に、前記通孔43・44の口径より大きな頭部51を有した連結用雄ネジ部材５を螺入してパネル本体１・１同士を連結して構成した。【選択図】  図１
2007132103.tif 000002
【特許請求の範囲】
【請求項１】
四辺形の一角を共有する二側辺Ｓ1・Ｓ2に段下り状の相决式受鍔11・11を備える方形パネル本体１同士を敷き詰めて構成されるフロア構造物であって、
前記パネル本体１の第一辺部Ｓ1とその隅部を共有する第二辺部Ｓ2の所要範囲に亘って設けられている前記相决式受鍔11・11の角部及び両端部に設けられた雌ネジ孔２に対して、アジャストボルト式に床面レベルを調節できる支持脚３が正逆回転自在に装着されている一方、縦横方向に隣接するパネル本体１・１同士は、相决式受鍔11と第三辺部Ｓ3または第四辺部Ｓ4とがシップラップ式に重なってパネル本体１・１の上面が面一を形成し、かつ、この状態において相决式受鍔11の各面に設けられた雌ネジ孔41・42とパネル本体１の第三辺部Ｓ3及び第四辺部Ｓ4に設けられた通孔43・44は、互いに連通して連結孔４を作出し、こうして作出された連結孔４に、前記通孔43・44の口径よりも大きな頭部51を有した連結用雄ネジ部材５が螺入されてパネル本体１・１同士が連結されて成ることを特徴とするフロア構造物。
【請求項２】
パネル本体１が、合成樹脂材料の一体成形によって、支持脚用の雌ネジ孔２と連結孔４を形成する雌ネジ孔41・42及び通孔43・44とを具備した形状に作製されていることを特徴とする請求項１記載のフロア構造物。
【請求項３】
パネル本体１が木質材料で作製されており、さらに、ナット部材21・46を装着することによって、当該パネル本体１における支持脚用の雌ネジ孔２及び連結用の雌ネジ孔41・42が形成されていることを特徴とする請求項１記載のフロア構造物。
【請求項４】
パネル本体１における第三辺部Ｓ3と第四辺部Ｓ4の下面端縁の各々に、リブ状突起12・12が突設されている一方、相决式受鍔11・11の上面には段差部位に沿って、前記リブ状突起12・12の各々が掛け合せ連結可能な凹溝13が対設されていることを特徴とする請求項１〜３の何れか一つに記載のフロア構造物。
【請求項５】
パネル本体１の相决式受鍔11・11の各上面及び第三辺部Ｓ3と第四辺部Ｓ4の裏面に、パネル本体１・１同士がシップラップ式に重なった際に嵌合して係止可能な凸部14と嵌合部15が形成されていることを特徴とする請求項１〜４の何れか一つに記載のフロア構造物。
【請求項６】
パネル本体１に設けられた凹溝13に部分的に陸部16を形成して凸部14とする一方、リブ状突起12における前記陸部16に対応する部位を切欠いて嵌合部15が形成されていることを特徴とする請求項４記載のフロア構造物。
【請求項７】
支持脚３の下方に、ゴム状台座32が付設されていることを特徴とする請求項１〜６の何れか一つに記載のフロア構造物。
【請求項８】
パネル本体１が、硬質樹脂材料により作製されていることを特徴とする請求項１〜７の何れか一つに記載のフロア構造物。
【請求項９】
パネル本体１における通孔43・44の上口部に沈み穴45が形成されていることを特徴とする請求項１〜８の何れか一つに記載のフロア構造物。
【請求項１０】
パネル本体１の第三辺部Ｓ3及び第四辺部Ｓ4が共有する角部に支持脚３用の雌ネジ孔２に連通する挿通孔６が貫設されているとともに、この挿通孔６を閉塞するキャップ体61が開口部に付設されていることを特徴とする請求項１〜９の何れか一つに記載のフロア構造物。
【請求項１１】
四辺形の一角を共有する二側辺Ｓ1・Ｓ2に段下り状の相决式受鍔11・11を備える方形パネル本体１同士を敷き詰めて構成したフロア構造物を敷設する方法であって、
前記パネル本体１の第一辺部Ｓ1と、その隅部を共有する第二辺部Ｓ2の所要範囲に亘って設けた前記相决式受鍔11・11の角部及び両端部に設けられた雌ネジ孔２に対して、支持脚３を正逆回転自在に装着してアジャストボルト式に床面レベルを調節した後、最初に配置するパネル本体１を支持脚３及び任意の手段によって支持固定してから、この固定したパネル本体１に対して、相决式受鍔11・11と第三辺部Ｓ3または第四辺部Ｓ4とがシップラップ式に重なった状態で別のパネル本体１・１を隣接して載置し、さらにその後、この状態において相决式受鍔11の各面に設けられた雌ネジ孔41・42とパネル本体１の第三辺部Ｓ3及び第四辺部Ｓ4に貫設された通孔43・44とが作出した連結孔４に、前記通孔43・44の口径よりも大きな頭部51を有した連結用雄ネジ部材５を螺入してパネル本体１・１同士を連結し、こうして連結されたパネル本体１に対して、前記の最初に配置したパネル本体１と同様に、また別のパネル本体１・１を載置して連結し、これを繰り返すことを特徴とするフロア構造物の敷設工法。
【発明の詳細な説明】
【技術分野】
【０００１】
本発明は、組立容易なフロア構造物およびその敷設工法に関し、更に詳しくは、床パネルを所定高さに容易に調節することができ、さらに、床パネル同士を簡単かつ強固に連結して構築できる安定なフロア構造物およびその合理的な敷設工法に関するものである。
【背景技術】
【０００２】
周知の通り、床構造に関しては、根太工法を採用したものが一般的であるが、根太工法では、敷設領域が室内に限定されてしまうとともに、面一な床面の形成に相当な技術が必要となる等、施工性に問題があったため、これらの問題を解消し得る新たな床材が求められていた。
【０００３】
そこで、従来において、本件出願人は、このような床材に関し、床パネルの高さをアジャストボルト式に調節して面一な床を構成する工法、その工法に使用する構成材、及び構造物について多数提案し、その中の一つである、床施工区域に独立支持構造の複数種の床パネルを敷設するジョイストレス工法は広く普及するに至っている（例えば、特許文献１参照）。
【０００４】
しかしながら、上記のジョイストレス工法では、相决り状に重なった継合部分を釘打ちするか、接着材を用いるかして床パネル同士を連結しなければならなかったことから、その連結及びその連結の解除作業は非常に面倒であるとともに高度な技巧を要する等、施工性に課題があった。
【０００５】
また、従来において、本件出願人は、独立支持構造の床材として、断面がコ字状で、その両端部に外側に向いた爪を有した連結片を係止孔に押し込んで床パネル同士を連結する技術も提案している（例えば、特許文献２参照）。
【０００６】
しかしながら、上記の技術においては、連結に用いた連結片及び係止孔の構造が非常に脆弱であったことから、大きな衝撃や繰り返しの負荷によって破損してしまい、床パネル同士の連結が緩んだり外れたりする場合もある等、安定的な床を構築する上で不満があった。
【特許文献１】特開昭５７−１６１２６１号公報（第１−６頁、第７〜15図）
【特許文献２】特開平９−２５６６０５号公報（段落［0021］、第６図）
【発明の開示】
【発明が解決しようとする課題】
【０００７】
本発明は、上記の如き問題に鑑みて為されたものであり、その目的とするところは、アジャストボルト式に床面調節が可能で、床パネル同士の連結及びその解除が非常に容易であるとともに、連結を強固に行うことができるフロア構造物およびその合理的な敷設工法を提供することにある。
【課題を解決するための手段】
【０００８】
本発明者が、上記課題を解決するために採用した手段を添付図面を参照して説明すれば次のとおりである。
【０００９】
即ち、本発明は、四辺形の一角を共有する二側辺Ｓ1・Ｓ2に段下り状の相决式受鍔11・11を備える方形パネル本体１同士を敷き詰めて構成されたフロア構造物であって、
前記パネル本体１の第一辺部Ｓ1と、その隅部を共有する第二辺部Ｓ2の所要範囲に亘って設けた前記相决式受鍔11・11の角部及び両端部に設けた雌ネジ孔２に対して、アジャストボルト式に床面レベルを調節できる支持脚３を正逆回転自在に装着する一方、縦横方向に隣接するパネル本体１・１同士は、相决式受鍔11と第三辺部Ｓ3または第四辺部Ｓ4とがシップラップ式に重なってパネル本体１・１の上面を面一にし、かつ、この状態において相决式受鍔11の各面に設けた雌ネジ孔41・42とパネル本体１の第三辺部Ｓ3及び第四辺部Ｓ4に設けた通孔43・44は、互いに連通して連結孔４を作出し、こうして作出された連結孔４に、前記通孔43・44の口径よりも大きな頭部51を有した連結用雄ネジ部材５を螺入してパネル本体１・１同士を連結して構成した点に特徴がある。
【００１０】
また、本発明においては、上記課題を解決するために、必要に応じて上記手段に加え、パネル本体１を、合成樹脂材料の一体成形により、支持脚用の雌ネジ孔２と連結孔４を形成する雌ネジ孔41・42及び通孔43・44とを具備した形状で作製するという技術的手段を採用することができる。
【００１１】
また、本発明においては、上記課題を解決するために、必要に応じて上記手段に加え、パネル本体１を木質材料で作製し、さらに、ナット部材21・46を装着することによって、当該パネル本体１における支持脚用の雌ネジ孔２及び連結用の雌ネジ孔41・42を形成するという技術的手段を採用することができる。
【００１２】
また、本発明においては、上記課題を解決するために、必要に応じて上記手段に加え、パネル本体１における第三辺部Ｓ3と第四辺部Ｓ4との下面端縁の各々に、リブ状突起12・12を突設する一方、相决式受鍔11・11の上面には段差部位に沿って、前記リブ状突起12・12の各々が掛け合せ連結可能な凹溝13を対設するという技術的手段を採用することができる。
【００１３】
また、本発明においては、上記課題を解決するために、必要に応じて上記手段に加え、パネル本体１の相决式受鍔11・11の各上面及び第三辺部Ｓ3と第四辺部Ｓ4の裏面に、パネル本体１・１同士がシップラップ式に重なった際に嵌合して係止可能な凸部14と嵌合部15を形成するという技術的手段を採用することができる。
【００１４】
また、本発明においては、上記課題を解決するために、必要に応じて上記手段に加え、パネル本体１に設けられた凹溝13に部分的に陸部16を形成して凸部14とする一方、リブ状突起12における前記陸部16に対応する部位を切欠いて嵌合部15を形成するという技術的手段を採用することができる。
【００１５】
また、本発明においては、上記課題を解決するために、必要に応じて上記手段に加え、支持脚３下方に、ゴム状台座31を付設するという技術的手段を採用することができる。
【００１６】
また、本発明においては、上記課題を解決するために、必要に応じて上記手段に加え、パネル本体１を、硬質樹脂材料を用いて作製するという技術的手段を採用することができる。
【００１７】
また、本発明においては、上記課題を解決するために、必要に応じて上記手段に加え、パネル本体１における通孔43・44の上口部に沈み穴45を形成するという技術的手段を採用することができる。
【００１８】
また、本発明においては、上記課題を解決するために、必要に応じて上記手段に加え、パネル本体１の第三辺部Ｓ3及び第四辺部Ｓ4が共有する角部に支持脚３用の雌ネジ孔２と連通する挿通孔６を貫設するとともに、この挿通孔６を閉塞するキャップ体61を開口部に付設するという技術的手段を採用することができる。
【００１９】
また、本発明においては、上記課題を解決するために、必要に応じて上記手段に加え、四辺形の一角を共有する二側辺Ｓ1・Ｓ2に段下り状の相决式受鍔11・11を備える方形パネル本体１同士を敷き詰めて構成したフロア構造物の敷設方法であって、
前記パネル本体１の第一辺部Ｓ1と、その隅部を共有する第二辺部Ｓ2の所要範囲に亘って設けた前記相决式受鍔11・11の角部及び両端部に設けた雌ネジ孔２に対して、支持脚３を正逆回転自在に装着してアジャストボルト式に床面レベルを調節した後、最初に配置するパネル本体１を支持脚３及び任意の手段によって支持固定してから、この固定したパネル本体１に対して、相决式受鍔11・11と第三辺部Ｓ3または第四辺部Ｓ4とがシップラップ式に重なった状態で別のパネル本体１・１を隣接して載置し、さらにその後、この状態で相决式受鍔11の各面に螺設された雌ネジ孔41・42とパネル本体１の第三辺部Ｓ3及び第四辺部Ｓ4に設けた通孔43・44とが作出した連結孔４に、前記通孔43・44の口径よりも大きな頭部51を有した連結用雄ネジ部材５を螺入してパネル本体１・１同士を連結し、こうして連結されたパネル本体１に対して、前記の最初に配置したパネル本体１と同様に、また別のパネル本体１・１を載置して連結し、これを繰り返すという技術的手段を採用することができる。
【発明の効果】
【００２０】
本発明では、段下り状の相决式受鍔を床パネルに形成するとともに、この相决式受鍔及び床パネル本体に対し、床パネルを隣接して載置した際に連通した連結孔を形成する雌ネジ孔及び通孔を配設したことから、床パネルを隣接載置後、この連結孔に雄ネジ部材を螺入するだけで、床パネル同士を容易に連結することができ、同時に、その連結状態の解除も雄ネジ部材の取外しによって簡単に行うことができる。
【００２１】
加えて、連結孔の上部を通孔、下部を雌ネジ孔とし、かつ、この連結孔に対して通孔の口径よりも大きな頭部を有した連結用雄ネジ部材を用いたことから、連結孔下部の雌ネジ孔に雄ネジ部材を螺入することによって、雄ネジ部材の頭部が通孔周縁を下方に押圧して継合部分を締め付けるため、床パネル同士を強固に連結でき、さらに、その連結状態を安定保持することも可能となる。
【００２２】
また、連結孔の上部を通孔としたことから、その分、雄ネジ部材の螺入工程を省略することができ、床パネル同士の連結作業を高速化することができる。
【００２３】
したがって、本発明によって、敷設後の安定性が高く、しかも、施行性にも優れた独立支持構造の床材を提供できることから、本発明の実用的利用価値は頗る高い。
【発明を実施するための最良の形態】
【００２４】
本発明を実施するための最良の形態を具体的に図示した図面に基づいて更に詳細に説明すると、次のとおりである。
【００２５】
『第１実施形態』
まず、本発明の第１実施形態について、図１から図５に基いて説明する。まず、符号１で指示するものはパネル本体である。そして、符号２で指示するものは雌ネジ孔であり、符号３で指示するものは、雄ネジ部を備えたアジャストボルト式の支持脚である。そして次に、符号４で指示するものは、連結孔であり、符号５で指示するものは、連結用雄ネジ部材である。
【００２６】
しかして、本実施形態の構成を以下に説明する。まず、パネル本体１の第一辺部Ｓ1とその隅部を共有する第二辺部Ｓ2の所要範囲に亘って段下り状の相决式受鍔11を設けた（図１、２参照）。そして、パネル本体１・１同士がシップラップ式に重なった際に、上面が面一になるように、パネル本体１の第三辺部Ｓ3及び第四辺部Ｓ4の厚みと同量の段差を有した位置に相决式受鍔11を配置した。
【００２７】
そして、パネル本体１に設けられた相决式受鍔11の角部及び両端部に支持脚用の雌ネジ孔２を螺設し、この雌ネジ孔３に対して、アジャストボルト式に床面レベルを調節できるように雄ネジ部を具備した支持脚３を正逆回転自在に装着した。
【００２８】
さらに、パネル本体１・１同士がシップラップ式に重なった状態で連結孔４が作出されるように、相决式受鍔11の各面及びパネル本体１の第三辺部Ｓ3及び第四辺部Ｓ4に、雌ネジ孔41・42及び通孔43・44を配設した。
【００２９】
そして、この連結孔４に対して、通孔43・44の口径よりも大きな頭部51を有した連結用雄ネジ部材５を螺入してパネル本体１・１同士を連結した（図３参照）。
【００３０】
上記のように構成したことによって、パネル本体１・１を隣接して載置した後、この連結孔４に雄ネジ部材５を螺入するだけで、パネル本体１・１同士を容易に連結することができ、その連結状態の解除も雄ネジ部材５の取外しによって簡単に行うことができる。
【００３１】
加えて、下側パネル本体１に設けられた雌ネジ孔41・42に雄ネジ部材５を螺入することで、雄ネジ部材５の頭部51が通孔周縁を下方に押圧して継合部分を締め付けるため、パネル本体１・１同士を強固に連結することができる。
【００３２】
また、雄ネジ部材５の螺入は不要となり、下側パネル本体１の雌ネジ孔41・42に対してのみ螺入作業を行えばよいため、連結作業を高速化することができる。
【００３３】
また、本実施形態においては、パネル本体１を、合成樹脂材料の一体成形により、支持脚用の雌ネジ孔２と、連結孔４を形成する雌ネジ孔41・42及び通孔43・44とを具備した形状に作製した。これにより、前もって作製された平坦なパネル部材に対し、穿設若しくは螺設工程を事後的に行うような手間が全く必要なくなるため、パネル本体１を高速に大量生産することが可能となる。
【００３４】
また、本実施形態においては、パネル本体１における第三辺部Ｓ3と第四辺部Ｓ4との下面端縁の各々に、リブ状の突起12・12を突設する一方、相决式受鍔11・11の上面には段差部位に沿って、前記リブ状突起12・12の各々が掛け合せ連結可能な凹溝13を対設した。これにより、連結したパネル本体１・１に対して上部から衝撃を受けた際にかかる連結孔４の周辺部や雄ネジ部材に対する負荷を軽減することができる。
【００３５】
そしてまた、パネル本体１の相决式受鍔11・11の各上面に凸部14を形成するとともに、第三辺部Ｓ3と第四辺部Ｓ4の裏面には、嵌合部15を形成し、パネル本体１・１をシップラップ式に重ねた際にこれらが嵌合してパネル本体１・１同士を係止可能にした。これにより、敷設するパネル本体１を連結孔４が作出される位置に確定することができるため、連結用雄ネジ部材５の螺入前に、パネル本体の位置を調節する作業が不要となる。
【００３６】
さらに、本実施形態においては、支持脚３の下方にゴム状台座31を付設した。これにより、ゴムの衝撃吸収作用を利用した防振効果及びや柔軟な物性による防音効果を得ることができ、しかも、パネル本体１における載置面上での滑りを防止することもできる。
【００３７】
また、本実施形態においては、パネル本体１における通孔43・44の上口部に沈み穴45を形成して、この沈み穴45内に連結用雄ネジ部材５の頭部51が収まるように構成したことにより、パネル本体１上面の平滑性を確保した。
【００３８】
そしてまた、パネル本体１には、安価で成形性の良好なポリプロピレン（PP）を採用した。ちなみに、屋外で使用するパネル本体１の場合には、曝露環境でも長期耐用できるように耐候性に優れた樹脂材料を採用することが好ましい。
【００３９】
また、本実施形態においては、パネル本体１の第三辺部Ｓ3及び第四辺部Ｓ4が共有する角部に支持脚３用の雌ネジ孔２と連通する挿通孔６を貫設するとともに、この挿通孔６内部に螺入して開口部を閉塞するキャップ体61を付設した。
【００４０】
これにより、パネル本体１の連結後においても挿通孔６から支持脚３をアジャストボルト式に調節または着脱することができ、しかも、付設したキャップ体61を使用して開口部を閉塞すれば、パネル本体１の表面をフラットに維持することができる。
【００４１】
なお、挿通孔６の径に関しては、支持脚３を操作するための工具や支持脚３の雄ネジ部が余裕で内通できるように、支持脚用の雌ネジ孔２よりも一回り大きくすることが好ましい。
【００４２】
次に、上記のフロア構造物の具体的な敷設方法を説明する。まず、パネル本体１の第一辺部Ｓ1とその隅部を共有する第二辺部Ｓ2の所要範囲に亘って設けた前記相决式受鍔11・11の角部及び両端部に螺設された雌ネジ孔２に対して、支持脚３を正逆回転自在に装着してアジャストボルト式に床面レベルを調節する。
【００４３】
そしてその後、最初に配置するパネル本体１を支持脚３及び任意の手段によって支持固定してから、この固定したパネル本体１に対して、相决式受鍔11・11と第三辺部Ｓ3または第四辺部Ｓ4とがシップラップ式に重なった状態で別のパネル本体１・１を隣接して載置する。
【００４４】
なお、最初に配置するバネル本体１を所定高さで支持する任意の手段としては、フロアポストＰをパネル本体１底面に直接当てて支持してもよいし、図４に示すように、パネル本体１の第三辺部Ｓ3及び第四辺部Ｓ4の端部を、フロアポストＰによって支持された根太Ｊ上に載置する方法でもよい。
【００４５】
さらに、その状態で相决式受鍔11の各面に螺設された雌ネジ孔41・42とパネル本体１の第三辺部Ｓ3及び第四辺部Ｓ4に穿設した通孔43・44とにより作出された連結孔４に対し、連結用雄ネジ部材５を螺入してパネル本体１・１同士を連結する。
【００４６】
そうして連結されたパネル本体１に対して、最初に配置したパネル本体１と同様、また別のパネル本体１・１を載置して連結し、これを繰り返して敷設する。
【００４７】
上記のような敷設工法を採ることによって、合理的にフロア構造物を構築することができる。
【００４８】
なお、本実施形態のように支持脚３を複数装着可能なパネル本体１の敷設時において、既設のパネル本体１の相决式受鍔11で支持されることにより不必要となる支持脚３に関しては取り付ける必要はなく、そうすることによって敷設の手間を省略することができる（図５参照）。
【００４９】
『第２実施形態』
次に、本発明の第２実施形態を図６に基いて説明する。本実施形態においては、室内フロアに適した木材を使用してパネル本体１を作製した。この際、パネル本体１における支持脚用の雌ネジ孔２及び連結用の雌ネジ孔41・42に関しては、直接ネジを切らず、ナット部材21・46を装着することによって頑丈な雌ネジ部を形成した。
【００５０】
『第３実施形態』
また、次に、本発明の第３実施形態を図７から図９に基いて説明する。本実施形態においては、図７に示すように、支持脚用雌ネジ孔２及び連結用雌ネジ孔41・42の配設領域に相决式受鍔11を局部的に設けた。これによって、材料の省略によるコスト軽減を行うことができ、しかも、パネル本体１を軽量化できるため、運搬作業の省力化を図ることができる。
【００５１】
また、本実施形態では、図８に示すように、挿通孔６に付設するキャップ体61をパネル本体１の厚みと同じ高さで、かつ、支持脚３の雄ネジ部が内通可能なスリーブ状に形成した。これにより、キャップ体61を下方の相决式受11上面に突き当たるまで螺入すれば、簡単にパネル本体１上面をフラットにでき、同時に、挿通孔６を閉塞することができる。さらに、挿通孔１の上口には、軋みの原因となる段縁部が不要となるため、パネル本体１をより簡素な形状とすることができる。
【００５２】
そしてまた、本実施形態では、図９に示すように、パネル本体１の中心域にも支持脚３を配設することにより、パネル本体１が受ける上方からの圧力を分散可能に構成し、パネル本体１の支持状態をより安定的に保持できるようにした。この際、支持脚３を装着する支持脚用雌ネジ孔２には、周壁に雌ネジが切られた段縁部22を形成するとともに、この段縁部22に螺入されることによって雌ネジ孔２を閉塞するキャップ体23を付設した。これにより、相决式受鍔11に取り付けられた支持脚３と同様、支持脚３の高さをアジャストボルト式に容易に調節することが可能となる。
【００５３】
本発明は、概ね上記のように構成されるが、図示の実施形態に限定されるものでは決してなく、「特許請求の範囲」の記載内において種々の変更が可能であって、例えば、パネル本体１に用いる材料は、所要の剛性を有する木材でもパーティクルボードのような木質材でも、合成木材でも金属でもよく、更にまた、硬質な樹脂材料であれば、高密度ポリエチレン（HDPE）やポリスチレン（PS）、ＡＢＳ樹脂（ABS）、ポリ塩化ビニル（PVC）、ポリエステル（PET）等、何れを選択してもよい。
【００５４】
そしてまた、図１０に示すように、パネル本体１においては、支持脚用の雌ネジ孔２及び連結孔４の数量はパネル本体１の大きさに合わせて適宜自由に選択してよい。
【００５５】
加えて、凸部14形状はリブ状でもよく、また、凸部14と嵌合部15の配置は、相决式受鍔11上面と第三辺部Ｓ3及び第四辺部Ｓ4の裏面とに自由に行ってよい。
【００５６】
また、図１１に示すように、パネル本体１に設けられた凹溝13に部分的に陸部16を形成して凸部14とする一方、リブ状突起12における前記陸部16に対応する部位を切欠いて嵌合部15を形成することにより、パネル本体１・１の係止構造をより簡素にして、パネル本体１をより簡単に作製できるようにしてもよく、何れも本発明の技術的範囲に属する。
【産業上の利用可能性】
【００５７】
最近では、ＬＡＮ等の室内配線の設置やバリアフリー化を受けての段差解消を目的として、独立支持構造の床材を用いた二重床が多用されるようになってきている。しかしながら、このような二重床材に関しては、敷設業者が求める施工性と、使用者が求める機能性とを兼ね備えた床材がまだまだ少ない。
【００５８】
その点、本発明は、手軽な床面レベルの調節機能に加えて、敷設後の安定性、そして床パネル同士の連結・解除の簡便性を多面的に考慮して為されていることから、施工者及び使用者両方からの需要に応えることができると考えられるため、本発明の産業上の利用価値は非常に高いと云える。
【図面の簡単な説明】
【００５９】
【図１】本発明の第１実施形態におけるフロア構造物を表わす全体斜視図である。
【図２】本発明の第１実施形態におけるパネル本体を表わす全体斜視図である。
【図３】本発明の第１実施形態におけるフロア構造物の連結状態を表わす部分断面図である。
【図４】本発明の第１実施形態における最初に配置するパネル本体の任意の固定手段を表わす部分断面図である。
【図５】本発明の第１実施形態における不必要な支持脚を省略したフロア構造物を表わす全体斜視である。
【図６】本発明の第２実施形態におけるパネル本体を表わす全体斜視図である。
【図７】本発明の第３実施形態におけるパネル本体を表わす全体斜視図である。
【図８】本発明の第３実施形態における挿通孔及びキャップ体を表わす全体斜視図である。
【図９】本発明の第３実施形態における支持脚用雌ネジの構造を表わす部分斜視図である。
【図１０】本発明のフロア構造物におけるパネル本体の変形例を表わす全体斜視図である。
【図１１】本発明のフロア構造物におけるパネル本体同士の係止構造の変形例を表わす部分斜視図である。
【符号の説明】
【００６０】
１  パネル本体
11  相决式受鍔
12  リブ状突起
13  凹溝
14  凸部
15  嵌合部
２  雌ネジ孔
21  ナット部材
22  段縁部
23  キャップ体
３  支持脚
31  ゴム状台座
４  連結孔
41・42  雌ネジ孔（相决式受鍔）
43  通孔（第三辺部）
44  通孔（第四辺部）
45  沈み穴
46  ナット部材
５  連結用雄ネジ部材
51  頭部
６  挿通孔
61  キャップ体
Ｓ1  第一辺部
Ｓ2  第二辺部
Ｓ3  第三辺部
Ｓ4  第四辺部
Ｐ  フロアポスト
Ｊ  根太
【図１】
2007132103.tif 000003
【図２】
2007132103.tif 000004
【図３】
2007132103.tif 000005
【図４】
2007132103.tif 000006
【図５】
2007132103.tif 000007
【図６】
2007132103.tif 000008
【図７】
2007132103.tif 000009
【図８】
2007132103.tif 000010
【図９】
2007132103.tif 000011
【図１０】
2007132103.tif 000012
【図１１】
2007132103.tif 000013